Podtech/llm-jp-corpus-v4-ja_patent huggingface dataset:
【手続補正書】
【提出日】平成16年8月26日(2004.8.26)
【手続補正１】
【補正対象書類名】特許請求の範囲
【補正対象項目名】全文
【補正方法】変更
【補正の内容】
【特許請求の範囲】
【請求項１】
回路設計及びシミュレーション環境におけるシミュレーション・ツールのバースト・ライセンシングのためのシステムであって、
シミュレーション・タスクを実行することにおいて複数のプロセッサのいずれかによって用いられる複数のバースト・ライセンスをライセンス・プール内で特定する手段であり、バースト・ライセンスは、プロセッサに特定のタスクを実行することを許諾する、該手段と、
回路設計でまたは回路設計により実行する一組のタスクをユーザに実行依頼させる手段と、
前記バースト・ライセンスの一つ以上を前記ライセンス・プールから一時的にチェック-アウトし、かつプロセッサでタスクを実行する持続時間に対して一致する数のプロセッサに前記バースト・ライセンスを割り当てる手段と、及び
割り当てられたバースト・ライセンスを現在有している複数のプロセッサにわたり並列で前記一組のタスクを処理する手段と、
を備えていることを特徴とするシステム。
【請求項２】
前記システムは、前記ランセンス・プールのライセンスの数よりも数が多い複数のプロセッサを含むことを特徴とする請求項１に記載のシステム。
【請求項３】
前記タスクを前記複数のプロセッサにわたり分配しかつ並列で実行することができることを特徴とする請求項１に記載のシステム。
【請求項４】
前記システムを回路シミュレーション環境に組み込むことができることを特徴とする請求項１に記載のシステム。
【請求項５】
前記タスクは、回路設計で実行されるシミュレーション・タスクであることを特徴とする請求項４に記載のシステム。
【請求項６】
前記タスクは、特徴付け及び検証タスクの一つであることを特徴とする請求項５に記載のシステム。
【請求項７】
前記タスクは、ユーザ・システムから受信されることを特徴とする請求項１に記載のシステム。
【請求項８】
前記ランセンス・プールの対話的使用を防ぐために前記ユーザのシステムと前記システムとの間でハンドシェークする手段を更に備えていることを特徴とする請求項７に記載のシステム。
【請求項９】
回路設計及びシミュレーション環境におけるシミュレーション・ツールのバースト・ライセンシングのためのシステムであって、
シミュレーション・タスクを実行することに使用するバースト・ライセンス含んでいるライセンス・プールであり、バースト・ライセンスは、プロセッサに特定のタスクを実行することを許諾する、該ライセンス・プールと、
タスクを実行するための複数のプロセッサと、
回路設計でまたは回路設計により実行するユーザによって実行依頼される一組のタスクとを備え、
一組のタスクを実行するための要求を受信することに応じて、前記システムは、前記ライセンス・プールからの一つ以上のライセンスを一致する数のプロセッサに一時的に割り当て、それらのプロセッサに並列で前記一組のタスクを実行させることを特徴とするシステム。
【請求項１０】
前記システムは、前記ランセンス・プールのライセンスの数よりも数が多い複数のプロセッサを含むことを特徴とする請求項９に記載のシステム。
【請求項１１】
前記タスクを前記複数のプロセッサにわたり分配しかつ並列で実行することができることを特徴とする請求項９に記載のシステム。
【請求項１２】
前記システムを回路シミュレーション環境に組み込むことができることを特徴とする請求項９に記載のシステム。
【請求項１３】
回路設計及びシミュレーション環境におけるシミュレーション・ツールのバースト・ライセンシングのための方法であって、
一定のタスクを実行することにプロセッサによって使用するバースト・ライセンスのプールを特定する段階であり、バースト・ライセンスは、プロセッサに特定のタスクを実行することを許諾する、該段階と、
ユーザに回路設計でまたは回路設計により実行する一組のタスクを実行依頼させる段階と、
タスクを実行するための要求を受信することに応じて、
前記プールから一つ以上のバースト・ライセンスをチェック-アウトしかつ前記バースト・ライセンスを一致する数のプロセッサに割り当てる副段階と、
並列で前記一組のタスクを実行するために前記プロセッサで前記バースト・ライセンスを用いる副段階と、及び
前記バースト・ライセンスを前記プールに戻す副段階と
を具備することを特徴とする方法。
【請求項１４】
前記タスクを前記複数のプロセッサにわたり分配しかつ並列で実行することができることを特徴とする請求項１３に記載の方法。
【請求項１５】
前記システムを回路シミュレーション環境に組み込むことができることを特徴とする請求項１３に記載の方法。
【請求項１６】
一定のタスクを実行することにプロセッサによって使用するバースト・ライセンスのプールを特定する段階であり、バースト・ライセンスは、プロセッサに特定のタスクを実行することを許諾する、該段階と、
ユーザに回路設計でまたは回路設計により実行する一組のタスクを実行依頼させる段階と、
タスクを実行するための要求を受信することに応じて、
前記プールから一つ以上のバースト・ライセンスをチェック-アウトしかつ前記バースト・ライセンスを一致する数のプロセッサに割り当てる副段階と、
並列で前記一組のタスクを実行するために前記プロセッサで前記バースト・ライセンスを用いる副段階と、及び
前記バースト・ライセンスを前記プールに戻す副段階と
を、実行されたときにシステムに実行させる、コンピュータ読取り可能命令を含んでいる、回路設計及びシミュレーション環境におけるシミュレーション・ツールのバースト・ライセンシングのためのシステム。
【請求項１７】
回路設計及びシミュレーション環境におけるシミュレーション・ツールのバースト・ライセンシングのための方法であって、
回路設計でまたは回路設計により一組のシミュレーション・タスクを実行するためにユーザから要求を受信する段階と、
前記プールから一つ以上のバースト・ライセンスをチェック-アウトしかつ前記バースト・ライセンスを一致する数のプロセッサに割り当てる段階と、
並列で前記一組のタスクを実行するために前記プロセッサで前記バースト・ライセンスを用いる段階と、及び
前記バースト・ライセンスを前記プールに戻す段階と
を具備することを特徴とする方法。
【請求項１８】
前記タスクを前記複数のプロセッサにわたり分配しかつ並列で実行することができることを特徴とする請求項１７に記載の方法。
【請求項１９】
前記システムを回路シミュレーション環境に組み込むことができることを特徴とする請求項１７に記載のシステム。
【請求項２０】
回路設計でまたは回路設計により一組のシミュレーション・タスクを実行するためにユーザから要求を受信する段階であり、バースト・ライセンスは、プロセッサに特定のタスクを実行することを許諾する、該段階と、
プールから一つ以上のバースト・ライセンスをチェック−アウトしかつ前記バースト・ライセンスを一致する数のプロセッサに割り当てる段階と、
並列で前記一組のタスクを実行するために前記プロセッサで前記バースト・ライセンスを用いる段階と、及び
前記バースト・ライセンスを前記プールに戻す段階と
を具備することを特徴とする方法。
【手続補正書】
【提出日】平成16年8月17日(2004.8.17)
【手続補正１】
【補正対象書類名】特許請求の範囲
【補正対象項目名】全文
【補正方法】変更
【補正の内容】
【特許請求の範囲】
【請求項１】
自然の同位体比から十分に変化させた相対比を有する酸素の複数の同位体を含み光学的性質を変化させた光導波路であって、光伝導コア領域を含み、前記コア領域の酸素の少なくとも２０モル％が酸素１８であって、前記コア領域は前記酸素１８の量の少なくとも５％の量の酸素１７を含むことを特徴とする光導波路。
【請求項２】
前記導波路は、光ファイバ導波路であることを特徴とする請求項１記載の導波路。
【請求項３】
前記酸素１７の量は、前記コアの酸素１８の量の少なくとも１０％であることを特徴とする請求項１又は２記載の導波路。
【請求項４】
前記導波路はラマンゲインファイバであって、追加の酸素１８を含まない同一のファイバと比較して、約９００μｍから１８００μｍの間の波長の光に関して少なくとも約５％だけ前記ファイバのラマンスペクトルが広げられる範囲内で前記同位体存在比が変化することを特徴とする請求項１乃至３のうちの１に記載の光導波路ファイバ。
【請求項５】
前記導波路は、酸素１８の高められた層及び高められていない層を交互に重ねたガラス層を含むことを特徴とする請求項１記載の光導波路ファイバ。
【請求項６】
前記光導波路は、ゲルマニウム及びリンからなるグループから選択されたドーパント原子を更に含むことを特徴とする請求項１乃至５のうちの１に記載の光導波路。
【請求項７】
化学気相蒸着法によってシリカベーススートプリフォームを形成するステップと、
チャンバ内においてスートプリフォームを少なくとも２０パーセントの酸素１８を含む雰囲気に、前記シリカスート内の酸素１６の少なくとも一定量を酸素１８に置換するために必要な時間及び温度の間だけ曝すステップと、を含むシリカ導波路の製造方法。
【請求項８】
前記スートプリフォームを曝すステップは、前記スートプリフォームをＤ218Ｏ、Ｈ218Ｏ又はこれらを混合した混合物からなるグループから選択されるガスに曝すステップを含むことを特徴とする請求項７記載の方法。
【請求項９】
前記スートプリフォームを酸素１８に曝すステップは、約１０００℃よりも高い温度で前記スートプリフォームを曝すステップを含むことを特徴とする請求項７又は８記載の方法。
【手続補正書】
【提出日】平成16年8月24日(2004.8.24)
【手続補正１】
【補正対象書類名】特許請求の範囲
【補正対象項目名】全文
【補正方法】変更
【補正の内容】
【特許請求の範囲】
【請求項１】
分散補償光ファイバであって、
略１５５０ｎｍの波長において負の分散と、
略１５５０ｎｍの波長において負の分散傾斜と、
略１５５０ｎｍの波長において１００以下のκ値と、
１５５０ｎｍにおいて−４０ｄＢ未満のＭＰＩと、を提供するよう選択された相対屈折率プロファイルを有する、ことを特徴とする光ファイバ。
【請求項２】
略１５５０ｎｍの波長において略−４５ｄＢ以下のＭＰＩを含むことを特徴とする請求項１記載の光ファイバ。
【請求項３】
略１５５０ｎｍの波長において略−５０ｄＢ以下のＭＰＩを含むことを特徴とする請求項２記載の光ファイバ。
【請求項４】
前記相対屈折率プロファイルは略１５５０ｎｍの波長において、略−８０ｐｓ／ｎｍ−ｋｍ乃至略−２００ｐｓ／ｎｍ−ｋｍの範囲内に分散を提供するように選択されている、ことを特徴とする請求項１記載の光ファイバ。
【請求項５】
前記相対屈折率は略４５乃至略７５の範囲にあるκ値を提供するように選択されている、ことを特徴とする請求項１記載の光ファイバ。
【請求項６】
相対屈折率を有する中央コアセグメントと、
前記中央コアセグメントの外縁に配されかつ前記中央コアセグメントの前記相対屈折率よりも小なる相対屈折率を有するディプレストモートセグメントと、
前記モートセグメントの外縁に配されかつ前記コアセグメントの前記相対屈折率よりも小でありかつ前記モートセグメントの前記相対屈折率よりも大なる相対屈折率を有する中間セグメントと、
前記中間セグメントの外縁に配されかつ前記中央コアセグメントの前記相対屈折率よりも小でありかつ前記中間セグメントの前記相対屈折率よりも大なる相対屈折率を有する環状のリングセグメントと、
前記環状のリングセグメントの外縁に配されかつ前記リングセグメントの前記相対屈折率よりも小でありかつ前記モートセグメントの前記相対屈折率よりも大なる相対屈折率を有するクラッド層と、を含むことを特徴とする請求項１記載の光ファイバ。
【請求項７】
前記中央コアセグメントの前記相対屈折率は略１．５１％乃至略２．２７％の範囲にあることを特徴とする請求項６記載の光ファイバ。
【請求項８】
前記ディプレストモートセグメントの前記相対屈折率は略−０．４２％よりも負であることを特徴とする請求項６記載の光ファイバ。
【請求項９】
前記中央コアセグメントは略１．４μｍ乃至略２．１μｍの範囲にある外側半径を有することを特徴とする請求項６記載の光ファイバ。
【請求項１０】
前記ディプレストモートセグメントは略４．１μｍ乃至略６．８μｍの範囲にある外側半径を有することを特徴とする請求項９記載の光ファイバ。
【請求項１１】
前記コアセグメントの外側半径対前記モートセグメントの外側半径の比が略０．２８乃至略０．３４の範囲にあることを特徴とする請求項６記載の光ファイバ。
【請求項１２】
前記屈折率はＬＰ02およびＬＰ11モードに対して略１９７５ｎｍ未満のカットオフ波長を提供するように選択されていることを特徴とする請求項１記載の光ファイバ。
【手続補正書】
【提出日】平成15年11月5日(2003.11.5)
【手続補正１】
【補正対象書類名】明細書
【補正対象項目名】０００８
【補正方法】変更
【補正の内容】
【０００８】
【発明の実施の形態】
図１は、本体５、二つの後輪１０ａと１０ｂと、ボディ（車体）延長部７を介して本体（main body）５に連結されている第三の車輪である前輪１０ｃとを有する、三輪玩具１の一つの実施の形態を示す。これらのジャイロスコープ的動作をする車輪は、図５及び図６を後に参照して説明される。ボディ（body）５は、それぞれの車輪を一つ一つ単独で駆動させる、全てのモーター、平歯車及びまたは作動歯車を含む。全ての必要な内部歯車及び電子部品を格納するように、ボディ５の形状及びデザインが変更可能であると当業者は解釈するであろう。前輪１０ｃの伝動機構及び駆動機構は、ボディ延長部７内に収まる。更に、全ての遠隔制御電子部とバッテリー部は本体５内に収納される。無線制御の実効性及び、これらの型式の無線制御車両の内部モーターの組み立て品について当業者は理解しているだろう。そのような実施例は、米国特許第6,024,627号にみられ、その内容全体を本願に組み入れる。
【手続補正書】
【提出日】平成14年4月24日(2002.4.24)
【手続補正１】
【補正対象書類名】明細書
【補正対象項目名】特許請求の範囲
【補正方法】変更
【補正の内容】
【特許請求の範囲】
【請求項１】
注射装置のための薬剤カートリッジにおいて、
薬剤と；
第１及び第２の端部と長手軸線を備えた内腔とを有し、その中に薬剤を保持するためのチューブと；
上記チューブの上記第２の端部と作動的に関連し、上記内腔内へ延びる突き刺し端部を有する針と；
上記第２の端部の近傍で上記内腔に対してシール関係にて当該内腔内に位置し、上記長手軸線に沿って該内腔内で摺動できる第１のストッパと；
上記第１の端部の近傍で上記内腔に対してシール関係にて当該内腔内に位置し、上記長手軸線に沿って該内腔内で摺動できる第２のストッパと；
を有し、上記針の方への、上記内腔内での同内腔に関する上記第２のストッパの摺動が、当該第２のストッパと上記第１のストッパとの間に保持された薬剤を圧縮して、当該針で当該第１のストッパを穿孔するために該第２のストッパを該針の上記突き刺し端部の方へ摺動させ、該針を通る薬剤のための流体経路を形成し、上記チューブの上記第２のの方への、当該内腔内での同内腔に関する該第２のストッパの更なる摺動が、該第２のストッパと該第１のストッパとの間に保持された薬剤を圧縮して、薬剤を上記流体経路を通して排出させることを特徴とする薬剤カートリッジ。
【請求項２】
上記チューブの上記第２の端部の方への上記第２のストッパの運動が上記第１のストッパと当該第２のストッパとの間の薬剤を圧縮して、当該第１のストッパを当該チューブの当該第２の端部の方へ移動させ、上記針の上記突き刺し端部が該第１のストッパを穿孔し、当該針を通る薬剤のための上記流体経路を形成するのを許容することを特徴とする請求項１に記載の薬剤カートリッジ。
【請求項３】
上記針が上記チューブの上記第２の端部を越えて延びる注射先端を有することを特徴とする請求項１に記載のカートリッジ。
【請求項４】
上記内腔が拡大直径を備えた部分を有し；上記第２のストッパと上記拡大直径との間で当該内腔内に位置し、上記軸線に沿って該内腔内で移動できる第３のストッパを更に有することを特徴とする請求項１に記載のカートリッジ。
【請求項５】
第１の薬剤成分が上記第２及び第３のストッパ間に位置し、第２の薬剤成分が上記第３及び第１のストッパ間に位置していて、上記拡大直径部分への当該第３のストッパの運動が薬剤を形成するために上記第１及び第２の薬剤成分の混合を許容することを特徴とする請求項４に記載のカートリッジ。
【請求項６】
上記第１のストッパが切頭形状を有し；
上記第２のストッパが、注射の完了後に上記内腔内に残っている薬剤の容積を最小にするために、上記第１のストッパの上記切頭形状に合致するように形状づけられ、寸法決めされた薬剤接触表面を有する；
ことを特徴とする請求項１に記載のカートリッジ。
【請求項７】
上記第１のストッパは、上記針が当該第１のストッパへ貫入する箇所で、ディンプル及び狭い横断面を有することを特徴とする請求項１に記載のカートリッジ。
【請求項８】
上記チューブの上記第２の端部と作動的に関連する部材を更に有し、上記チューブの上記第２の端部の方への上記第２のストッパの運動が当該チューブを上記部材内へ移動させて、上記針の上記突き刺し端部が上記第１のストッパを穿孔し、当該針を通る薬剤のための上記流体経路を形成するのを許容することを特徴とする請求項１に記載のカートリッジ。
【請求項９】
薬剤が不溶性粒子を含む液体薬剤製品であることを特徴とする請求項１に記載のカートリッジ。
【請求項１０】
上記カートリッジは、上記針の方への上記第２のストッパの摺動が上記注射装置の始動中であることを特徴とする請求項１に記載のカートリッジ。
【手続補正書】
【提出日】平成15年9月2日(2003.9.2)
【手続補正１】
【補正対象書類名】明細書
【補正対象項目名】特許請求の範囲
【補正方法】変更
【補正の内容】
【特許請求の範囲】
【請求項１】
下記の工程（１）および（２）を含むことを特徴とする活性化炭素繊維を含む造形フィルター部材の製造法：
（１）織物製造法を使用することによって、炭素前駆体繊維製凝集性織物から成る該造形フィルター部材のプレフォームを製造し、次いで
（２）活性化炭素繊維製の所望形態を有する造形フィルター部材を直接的に得るために炭化と活性化処理を実施する（この場合、該プレフォームの寸法は、炭化と活性化処理中の収縮を考慮して決定される）。
【請求項２】
活性化炭素繊維製凝集性織物から成る単一品として製造されることを特徴とする、活性化炭素繊維を含む造形保護被服品。
【手続補正書】
【提出日】平成16年1月8日(2004.1.8)
【手続補正１】
【補正対象書類名】明細書
【補正対象項目名】特許請求の範囲
【補正方法】変更
【補正の内容】
【特許請求の範囲】
【請求項１】
エアバッグクッション内に導入するためのエアバッグ織編物であって、少なくとも一部がフィルムに接着した織編物基材を含んでなり、該織編物基材が約１９００以下のカバー因子を有しており、該エアバッグ織編物の空気透過性が、約２５℃で１２４Ｐaの圧力下に約０.５ｃｆｍ未満であるエアバッグ織編物。
【請求項２】
織編物基材が、ポリウレタン、ポリアクリレート、ポリアミド、ポリエステル、およびこれらのコポリマーからなる群から選択される材料を含んでなるフィルムに接着している請求項１に記載のエアバッグ織編物。
【請求項３】
フィルムがポリウレタンを含んでなる請求項１に記載のエアバッグ織編物。
【請求項４】
請求項１〜３のいずれかに記載のエアバッグ織編物を含んでなるエアバッグクッション。
【請求項５】
エアバッグクッション内に導入するためのエアバッグ織編物であって、少なくとも一部がポリウレタン、ポリアクリレート、ポリアミド、ポリエステル、およびこれらのコポリマーからなる群から選択される材料で被覆された織編物基材を含んでなり、該織編物基材が約１９００以下のカバー因子を有しており、該エアバッグ織編物の空気透過性が、約２５℃で１２４Ｐaの圧力下に約０.５ｃｆｍ未満であるエアバッグ織編物。
【請求項６】
被覆がポリウレタンを含んでなる請求項５に記載のエアバッグ織編物。
【請求項７】
被覆の厚みが、約０.１〜３.５ミルである請求項５または６に記載のエアバッグ織編物。
【請求項８】
請求項５〜７のいずれかに記載のエアバッグ織編物を含んでなるエアバッグクッション。
【手続補正２】
【補正対象書類名】明細書
【補正対象項目名】０００１
【補正方法】変更
【補正の内容】
【０００１】
(技術分野)
本発明は、約１９００未満のカバー因子を有するように織編され、それと同時に、フィルム(ラミネート)または被覆の存在により、極めて低い空気透過性を有するエアバッグ織編物に関する。エアバッグクッションにおいてこのようにゆるく構築された織編物を使用することは、織編物表面に通常のエアバッグ被覆物(例えば、シリコーン)を適用するときであっても、このような被覆物が、ゆるく構築された織編物表面に接触して残存するのが容易ではない(即ち、被覆物が織編物から漏れる)ために、これまでは不可能であった。しかし、低カバー因子の織編物と、ラミネートフィルム(または、カバー因子が少なくとも１６００である場合の被覆)とを組合せると、上記の問題が解決され、安価に製造された織編物をエアバッグにおいて使用することが可能になる。
【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】  一投与量の薬剤を供給するために圧縮可能な容器から薬剤を供給するための薬剤吸引器であって：
容器を保持し、前記容器から一投与量の薬剤を吸引するためのマウスピースを含むハウジングと；
前記マウスピースにおける吸引に応答して前記ハウジング内に保持された容器を圧縮するための呼吸作動式の作動機構とから構成され、
前記作動機構が、容器を圧縮状態でロックし、マウスピースでの吸引レベルが予め定められた閾値以下に下がったときに前記容器を解放するためマウスピースでの吸引に応答するよう構成されたロック機構を含んでいる薬剤吸引器。
【請求項２】  前記ロック機構が、マウスピースでの吸引で発生する空気の流れに応答し、前記マウスピースでの吸引レベルが前記予め定められた閾値以下に下がったときに前記ロック機構を解放するよう構成されたベーンを含んでいる、請求項１の薬剤吸引器。
【請求項３】  前記ベーンが、前記マウスピースから延びるダクト内に配置されている、請求項２に記載の薬剤吸引器。
【請求項４】  前記ベーンが、前記ダクトを横切って延びるフラップである、請求項３に記載の薬剤吸引器。
【請求項５】  前記マウスピースとは反対側の前記ダクトの端部が、前記ハウジング内に開放している、請求項２又は請求項３に記載の薬剤吸引器。
【請求項６】  前記ベーンが、前記マウスピースとは反対側の前記ダクトの端部に配置されている、請求項２から請求項５のいずれか一に記載の薬剤吸引器。
【請求項７】  前記ベーンが、前記マウスピースでの吸引により前記作動機構を作動させるよう構成されている、請求項２から請求項６のいずれか一に記載の薬剤吸引器。
【請求項８】  前記作動機構が：
負荷が加えられているときに前記容器の圧縮を付勢するよう構成された弾性負荷要素に負荷を加えるための負荷機構と、
前記弾性負荷要素を圧縮に抗して保持し、当該弾性負荷要素を開放する引き金となり得るトリガ機構とを含んでいる、請求項１から請求項７のいずれか一に記載の薬剤吸引器。
【請求項９】  前記ベーンが、前記マウスピースでの吸引により前記トリガ機構を作動させるよう構成されている、請求項２に従属するときの請求項８にかかる薬剤吸引器。
【請求項１０】  前記負荷機構が、前記弾性負荷要素に負荷を加えるため当該弾性負荷要素に結合された負荷メンバを駆動し、前記ロック機構が前記弾性負荷要素を負荷が加えられた状態で保持するよう構成され、これによって前記トリガ機構が解放された後に前記容器を圧縮状態にロックする、請求項８又は請求項９に記載の薬剤吸引器。
【請求項１１】  前記ロック機構が、ロック位置に保持された移動可能なキャッチを含み、当該キャッチが、マウスピースでの吸引によって前記容器を圧縮状態にロックし、そしてマウスピースでの吸引レベルが予め定められた閾値以下に下がったときに前記容器を解放する、請求項１から請求項１０のいずれか一に記載の薬剤吸引器。
【請求項１２】  当該キャッチをロック位置に向けて付勢するよう構成された弾性付勢要素を介して前記キャッチに結合された中間メンバを更に含み、前記弾性付勢要素に負荷を加えるためマウスピースでの吸引により前記負荷機構が前記中間メンバと係合し、これにより前記キャッチを前記ロック位置に保持し、前記弾性付勢要素の負荷を解くため前記吸引レベルが前記予め定められた閾値以下に下がったときに前記中間メンバを解放し、これにより前記キャッチを解放する、請求項１０又は請求項１１に記載の薬剤吸引器。
【請求項１３】  前記中間メンバが、前記ベーンに係合し、前記ベーンにより開放される、請求項２に従属するときの請求項１２に記載の薬剤吸引器。
【請求項１４】  前記予め定められた閾値が、前記中間メンバと前記ベーンとの接触面の形状によりコントロールされる、請求項１３に記載の薬剤吸引器。
【請求項１５】  前記キャッチが回転可能である、請求項１１から請求項１４のいずれか一に記載の薬剤吸引器。
【請求項１６】  前記中間メンバが回転可能である、請求項１１から請求項１５のいずれか一に記載の薬剤吸引器。
【請求項１７】  前記キャッチと前記中間メンバとが共通の軸を中心に回転可能である、請求項１１から請求項１４のいずれか一に記載の薬剤吸引器。
【手続補正２】
【補正対象書類名】明細書
【補正対象項目名】０００２
【補正方法】変更
【補正の内容】
【０００２】
（背景技術）
薬剤吸引器は、広範な種類の薬剤を供給するために使用されている。既知の薬剤吸引器は、マウスピースから一投与量の薬剤を供給するよう圧縮可能な容器を保持している。前記容器を圧縮するため、薬剤吸引器に作動機構を設けることが知られている。この作動機構は、マウスピースにおける吸引に応答して前記容器を操作する呼吸作動式とすることができる。通常、呼吸作動式薬剤吸引器には、負荷をかけられたときに容器の圧縮を付勢するよう構成された弾性負荷要素に負荷をかけるための負荷機構と、前記弾性負荷要素を容器の圧縮に抗して保持し、吸引によってこの弾性負荷要素を解放するトリガ機構とが含まれている。
【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】  一投与量の薬剤を供給するために圧縮可能な容器から薬剤を供給するための薬剤吸引器において、
容器を保持するためのハウジングと；
前記容器を圧縮するため、前記ハウジング内に保持された容器と係合可能な容器係合メンバと；
負荷を加えられたときに前記容器を圧縮するために前記容器係合メンバを付勢するよう構成された弾性負荷要素に負荷を加えるための負荷機構と；
前記容器の圧縮に抗して前記容器係合メンバを保持し、当該容器係合メンバを解放する引き金となり得るよう構成されたトリガ機構とから構成され、
前記弾性負荷要素と前記容器係合メンバとの間の連結機構が、前記容器係合メンバによって前記トリガ機構に加えられる力を、前記トリガ機構によって保持されているときには軽減するよう構成されている薬剤吸引器。
【請求項２】  前記弾性負荷要素が、前記容器係合メンバにピボット状に結合されている、請求項１に記載の薬剤吸引器。
【請求項３】  前記弾性負荷要素がトーションスプリングである、請求項１又は請求項２に記載の薬剤吸引器。
【請求項４】  前記トーションスプリングが自由懸架されている、請求項３に記載の薬剤吸引器。
【請求項５】  前記負荷機構が、前記弾性負荷要素に負荷を加えるために前記弾性負荷要素に結合された負荷メンバを駆動し、前記負荷要素を負荷が加えられた状態で保持するよう構成されたロック機構を更に備え、前記弾性負荷要素が前記負荷メンバにピボット状に結合されている、請求項１から請求項４のいずれか一に記載の薬剤吸引器。
【請求項６】  前記連結機構が、前記力を軽減させるカム機構を含んでいる、請求項１に記載の薬剤吸引器。
【請求項７】  前記連結機構が、前記弾性負荷要素に負荷が加えられたときに前記弾性負荷要素により付勢されて前記容器係合メンバと係合する中間メンバを含み、前記カム機構が、前記中間メンバと前記容器係合メンバの間に設けられる、請求項６に記載の薬剤吸引器。
【請求項８】  前記中間メンバが回転可能である、請求項７に記載の薬剤吸引器。
【請求項９】  前記容器係合メンバが回転可能である、請求項７又は請求項８に記載の薬剤吸引器。
【請求項１０】  前記カム機構が、前記中間メンバに設けられたカム面と、前記容器係合メンバに設けられたカムフォロアとにより構成されている、請求項６から請求項９のいずれか一に記載の薬剤吸引器。
【請求項１１】  前記連結機構が：
前記弾性負荷要素に負荷が加えられたときに前記弾性負荷要素に付勢されて前記容器係合メンバに係合する中間メンバと；
前記容器係合メンバのストロークの開始時に前記力の軽減を提供するよう構成された、前記容器係合メンバと前記中間メンバとの間の機械的連結機構とを含んでいる、請求項１に記載の薬剤吸引器。
【請求項１２】  一投与量の薬剤を供給するために圧縮可能な容器から薬剤を供給するための薬剤吸引器において、
容器を保持するためのハウジングと；
負荷を加えられたときに前記容器の圧縮を付勢するよう構成された弾性負荷要素に負荷を加えるための負荷機構と；
前記容器の圧縮に抗して容器係合メンバを保持し、前記弾性負荷要素を解放する引き金となり得るよう構成されたトリガ機構とから構成され、
前記弾性負荷要素と前記トリガ機構との間の連結機構が、前記弾性負荷要素によって前記トリガ機構に加えられる力を前記トリガ機構によって保持されているときには軽減するよう構成されている薬剤吸引器。
【請求項１３】  前記連結機構が、前記力を軽減させるカム機構を含んでいる、請求項１２に記載の薬剤吸引器。
【請求項１４】  前記連結機構が、
容器を圧縮するため、前記ハウジング内に保持された容器と係合可能な容器係合メンバと、前記容器係合メンバと係合するトリガ機構と、
前記弾性負荷要素に負荷が加えられたとき前記弾性負荷要素により付勢されて前記容器係合メンバに係合する中間メンバとを含み、前記カム機構が前記中間メンバと前記容器係合メンバとの間に設けられている、請求項１３に記載の薬剤吸引器。
【請求項１５】  前記中間メンバが回転可能である、請求項１４に記載の薬剤吸引器。
【請求項１６】  前記容器係合メンバが回転可能である、請求項１４又は請求項１５に記載の薬剤吸引器。
【請求項１７】  前記カム機構が、前記中間メンバに設けられたカム面と、前記容器係合メンバに設けられたカムフォロアとにより構成されている、請求項１４から請求項１６のいずれか一に記載の薬剤吸引器。
【請求項１８】  前記連結機構が：
容器を圧縮するため、前記ハウジング内に保持された容器と係合可能な容器係合メンバと；
前記弾性負荷要素に負荷が加えられたとき前記弾性負荷要素により付勢されて前記容器係合メンバに係合する中間メンバと；
前記容器係合メンバのストロークの開始時において前記力の軽減を提供するよう構成された、前記容器係合メンバと前記中間メンバとの間の機械的連結機構とを含んでいる、請求項１２に記載の薬剤吸引器。
【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】  一投与量の薬剤を供給するために圧縮可能な容器から吸引により薬剤を供給するための薬剤吸引器であって：
一般に円筒形状のボデーを持ち、当該ボデーの円筒形状の軸が予め定められた方向にある容器を保持するためのハウジングと；
負荷を加えられたときに前記容器の圧縮を付勢するよう構成された弾性負荷要素に負荷を加える負荷機構とを備え、前記負荷機構が：
前記弾性負荷要素に係合する負荷メンバと；
前記予め定められた方向と直交する方向に前記ハウジングに対して相対移動可能な少なくとも１つの接触メンバとから構成され、前記少なくとも１つの接触メンバが、当該接触メンバと前記負荷メンバとの間のカム機構を介して前記弾性負荷要素に負荷を加えるため前記負荷メンバを駆動するよう構成されている薬剤吸引器。
【請求項２】  前記ハウジングの対向する両側に２つの接触メンバが配置されている、請求項１に記載の薬剤吸引器。
【請求項３】  前記カム機構が、前記負荷メンバに設けられて前記少なくとも１つの接触メンバに係合される少なくとも１つのカム面を含む、請求項１又は請求項２に記載の薬剤吸引器。
【請求項４】  前記負荷メンバが、前記移動方向と直交する方向に動くよう駆動される、請求項１から請求項３のいずれか一に記載の薬剤吸引器。
【請求項５】  前記負荷メンバが、前記移動方向と直交する方向に回転するよう駆動される、請求項４に記載の薬剤吸引器。
【請求項６】  前記弾性負荷要素がトーションスプリングである、請求項５に記載の薬剤吸引器。
【請求項７】  前記トーションスプリングのコイル部がスピンドルの回りを取り巻いている、請求項６に記載の薬剤吸引器。
【請求項８】  前記ハウジング内に保持された容器を圧縮するため、前記弾性負荷要素が前記容器と係合可能である容器係合メンバを付勢する、請求項１から請求項７のいずれか一に記載の薬剤吸引器。
【請求項９】  前記容器係合メンバが、前記少なくとも１つの接触メンバの移動方向に平行な軸回りに回転可能なレバーである、請求項１から請求項８のいずれか一に記載の薬剤吸引器。
【請求項１０】  前記カム機構が、前記少なくとも１つの接触メンバをその移動最終位置で保持するよう構成されている、請求項１から請求項９のいずれか一に記載の薬剤吸引器。
【請求項１１】  前記少なくとも１つの接触メンバの移動量に対する前記負荷メンバの駆動される移動量の比が、前記負荷メンバの位置に対して非線形の関係となっている、請求項１から請求項１０のいずれか一に記載の薬剤吸引器。
【請求項１２】  一投与量の薬剤を供給するために圧縮可能な容器から吸引により薬剤を供給するための薬剤吸引器であって、
容器を保持するためのハウジングと；
負荷を加えられたときに前記容器の圧縮を付勢するよう構成された弾性負荷要素に負荷を加える負荷機構とを備え、前記負荷機構が：
前記弾性負荷要素に係合する負荷メンバと；
前記弾性負荷要素に負荷を加えるよう前記負荷メンバを駆動するため、前記ハウジングに対して相対移動可能な少なくとも１つの接触メンバとを含み、前記少なくとも１つの接触メンバの移動量に対する前記負荷メンバの駆動による移動量の比が、前記負荷メンバの位置に対して非線形の関係となっている薬剤吸引器。
【請求項１３】  前記負荷メンバの駆動による移動の少なくとも主要部分の間、前記の比が減少する、請求項１２に記載の薬剤吸引器。
【請求項１４】  前記駆動による移動の主要部分の間、前記の比が、前記負荷メンバの位置に逆比例している、請求項１３に記載の薬剤吸引器。
【請求項１５】  前記少なくとも１つの接触メンバに加えられる必要な力がほぼ一定となるよう、前記負荷メンバの駆動による移動の主要部分の間、前記の比が前記負荷メンバの位置に対して変化している、請求項１３又は請求項１４に記載の薬剤吸引器。
【請求項１６】  前記負荷メンバの駆動による移動の当初部分の間、前記の比がその後の部分に対して減少している、請求項１２から請求項１５のいずれか一に記載の薬剤吸引器。
【請求項１７】  前記少なくとも１つの接触メンバが、非線形カム機構を介して前記負荷メンバを駆動する、請求項１２から請求項１６のいずれか一に記載の薬剤吸引器。
【請求項１８】  前記カム機構が、前記少なくとも１つの接触メンバをその移動の最終位置で保持するよう構成されている、請求項１７に記載の薬剤吸引器。
【請求項１９】  前記カム機構が、前記負荷メンバに設けられて前記少なくとも１つの接触メンバに係合される少なくとも１つのカム面を含んでいる、請求項１７又は請求項１８に記載の薬剤吸引器。
【請求項２０】  前記負荷メンバが、前記移動方向と直交する方向に移動するよう駆動される、請求項１７から請求項１９のいずれか一に記載の薬剤吸引器。
【請求項２１】  前記負荷メンバが、前記移動方向と直交する方向に回転するよう駆動される、請求項２０に記載の薬剤吸引器。
【請求項２２】  前記ハウジングの対向する両側に配置された２つの接触メンバを有する、請求項１２から請求項２１のいずれか一に記載の薬剤吸引器。
【請求項２３】  前記容器を圧縮するため、前記弾性負荷要素が、前記ハウジング内に保持された容器と係合可能な容器係合メンバを付勢する、請求項１２から請求項２２のいずれか一に記載の薬剤吸引器。
【請求項２４】  前記容器の作動に抗して前記弾性負荷要素を保持し、当該弾性負荷要素を解放する引き金となり得るよう構成されたトリガ機構を更に含む、請求項１から請求項２３のいずれか一に記載の薬剤吸引器。
【請求項２５】  前記トリガ機構が、吸引により作動するよう構成されている、請求項２４に記載の薬剤吸引器。
【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】  一投与量の薬剤を供給するために圧縮可能な容器から吸引により薬剤を供給するための呼吸作動式薬剤吸引器であって：
容器を保持し、保持された容器から一投与量の薬剤を供給するマウスピースを含むハウジングと；
前記マウスピースにおける吸引に応答して前記ハウジング内に保持された容器を圧縮するための作動機構とから構成され、
前記ハウジングが、前記作動機構を搭載する第１の部分と、前記マウスピース及び前記作動機構を作動させるため吸引の流れを前記マウスピースから第１の部分へ導くような形状に形成されたダクトとを収納する第２の部分とからなる２つの分離可能な部分を含んでいる薬剤吸引器。
【請求項２】  前記ダクトと前記ハウジングの第２の部分とが別体に形成されている、請求項１に記載の薬剤吸引器。
【請求項３】  前記ダクトが、前記ハウジングの第２の部分から分離可能である、請求項１又は請求項２に記載の薬剤吸引器。
【請求項４】  前記ダクトと前記マウスピースとが一体に形成されている、請求項１から請求項３のいずれか一に記載の薬剤吸引器。
【請求項５】  前記ダクトが、薬剤吸引器内に保持された容器から供給される一投与量の薬剤を前記マウスピースから外部に出すように導く形状に形成されたノズルブロックを収納している、請求項１から請求項４のいずれか一に記載の薬剤吸引器。
【請求項６】  前記ノズルブロックと前記ダクトとが別体に形成されている、請求項５に記載の薬剤吸引器。
【請求項７】  前記ハウジングの第１の部分と第２の部分との分離が、前記容器の取り替えを可能とする、請求項１から請求項６のいずれか一に記載の薬剤吸引器。
【請求項８】  前記容器のバルブ心棒を保持し、前記容器から供給された薬剤を前記マウスピースから外に出すよう導くため、前記ダクトがノズルブロックを保持している、請求項１から請求項７のいずれか一に記載の薬剤吸引器。
【請求項９】  前記ハウジングの第１の部分が前記吸引の流れを受け入れるフロー入口を備え、前記ダクトが前記吸引の流れを前記フロー入口に導くような形状に形成されている、請求項１から請求項８のいずれか一に記載の薬剤吸引器。
【請求項１０】  前記作動機構が、当該作動機構を作動させるため前記吸引の流れに応答するベーンを含み、前記ハウジングの第１の部分が、吸引の流れを前記フロー入口から前記ベーンまで導く更なるダクトを収納している、請求項９に記載の薬剤吸引器。
【手続補正２】
【補正対象書類名】明細書
【補正対象項目名】０００５
【補正方法】変更
【補正の内容】
【０００５】
本発明によれば、一投与量の薬剤供給用の圧縮可能な容器から吸引によって薬剤を供給するための呼吸作動式薬剤吸引器が提供され、この薬剤吸引器は：
容器を保持し、保持された容器から一回投与量の薬剤を供給するマウスピースを含むハウジングと；
前記マウスピースにおける吸引に応答して前記ハウジングに保持された容器を圧縮する作動機構とから構成され、
前記ハウジングは２つの分離可能な部分を含み、第１の部分は作動機構を搭載し、第２の部分はマウスピースと、マウスピースからの吸引の流れを前記作動機構を作動させるために第１の部分に導くよう形成されたダクトとを収納している。
【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】  薬剤の容器を保持する、当該容器と組合わされる薬剤吸引器であって、
前記容器は、第１の状態から第２の状態へと不可逆的に移動可能な表示部材を搭載するために固定された取付部を有し；
前記薬剤吸引器は、当該薬剤吸引器からの前記容器の取り外しの際に前記表示部材を第１の状態から第２の状態へと移動させる手段と、前記表示部材の状態を検出する検出手段とを有している薬剤吸引器。
【請求項２】  前記取付部と前記表示部材との間にラチェット機構が設けられている、請求項１に記載の薬剤吸引器。
【請求項３】  前記ラチェット機構が、前記表示部材の少なくとも１つのラチェット歯と、前記取付部のつめとから構成されている、請求項２に記載の薬剤吸引器。
【請求項４】  前記表示部材を移動させるための手段が、前記取付部が前記薬剤吸引器から取り外される際に前記表示部材を捕捉するキャッチから構成されている、請求項１又は請求項２に記載の薬剤吸引器。
【請求項５】  前記ラチェット機構が更に、前記表示部材が第１の状態にある容器を搭載する際、前記表示部材が前記キャッチを強制的に通過するよう構成されている、請求項２に従属するときの請求項４に記載の薬剤吸引器。
【請求項６】  前記表示部材が前記キャッチにより捕捉される捕捉面を有している、請求項４又は請求項５に記載の薬剤吸引器。
【請求項７】  前記捕捉面が前記表示部材の突出部上に形成されている、請求項６に記載の薬剤吸引器。
【請求項８】  前記突出部が、前記容器を搭載する際に前記キャッチと突出部とを相対的にそらせる傾斜面である、請求項７に記載の薬剤吸引器。
【請求項９】  前記キャッチが、前記容器を搭載する際に前記キャッチと表示部材とを相対的にそらせる傾斜面を有する、請求項４から請求項８のいずれか一に記載の薬剤吸引器。
【請求項１０】  前記キャッチが前記薬剤吸引器の内部から突出している、請求項４から請求項９のいずれか一に記載の薬剤吸引器。
【請求項１１】  前記表示部材が前記取付部にスライド式に搭載されている、請求項１から請求項１０のいずれか一に記載の薬剤吸引器。
【請求項１２】  前記検出手段が電気スイッチ接点から構成されている、請求項１から請求項１１のいずれか一に記載の薬剤吸引器。
【請求項１３】  前記表示部材が、第１の状態にある容器が前記薬剤吸引器に保持されているときにのみ前記検出手段に係合する形状に形成されている、請求項１から請求項１２のいずれか一に記載の薬剤吸引器。
【請求項１４】  前記表示部材が、第２の状態にある容器が前記薬剤吸引器に保持されたときに前記検出手段との係合を避けるため、前記検出手段に隣接する位置に凹み部を有している、請求項１３に記載の薬剤吸引器。
【請求項１５】  容器が前記薬剤吸引器に保持されたとき、前記表示部材の状態の表示を示すディスプレイ手段を更に備えている、請求項１から請求項１４のいずれか一に記載の薬剤吸引器。
【請求項１６】  第１の状態から第２の状態へと不可逆的に移動可能な表示部材を搭載する取付部を固定した薬剤の容器を保持する薬剤吸引器であって、
前記容器を薬剤吸引器から取り外す際に前記表示部材を第１の状態から第２の状態に移動させる手段と、前記表示部材の状態を検出するための検出手段とを有している薬剤吸引器。
【請求項１７】  前記表示部材を移動させる手段が、前記薬剤吸引器から前記取付部が取り外される際に、前記表示部材を捕捉するキャッチから構成されている、請求項１６に記載の薬剤吸引器。
【請求項１８】  前記キャッチが、前記容器を搭載する際に前記キャッチ及び表示部材を相対的にそらせる傾斜面を有している、請求項１６又は請求項１７に記載の薬剤吸引器。
【請求項１９】  前記キャッチが前記薬剤吸引器の内部から突出している、請求項１６から請求項１８のいずれか一に記載の薬剤吸引器。
【請求項２０】  前記検出手段が電気スイッチ接点から構成されている、請求項１６から請求項１９のいずれか一に記載の薬剤吸引器。
【請求項２１】  前記薬剤吸引器が更に、容器が前記薬剤吸引器によって保持されたとき、前記表示部材の状態の表示を示すディスプレイ手段を備えている、請求項１６から請求項２０のいずれか一に記載の薬剤吸引器。
【請求項２２】  薬剤吸引器から容器を取り外す際に第１の状態から第２の状態へと不可逆的に移動可能な表示部材を搭載する取付部を固定している容器。
【請求項２３】  前記取付部と前記表示部材との間にラチェット機構が設けられている、請求項２２に記載の容器。
【請求項２４】  前記ラチェット機構が、前記表示部材の少なくとも１つのラチェット歯と、前記取付部のつめとから構成されている、請求項２３に記載の容器。
【請求項２５】  前記取付部が前記薬剤吸引器から取り外される際に前記表示部材を捕捉するため、前記表示部材が、前記薬剤吸引器に設けられたキャッチにより捕捉されるよう構成された捕捉面を有している、請求項２２から請求項２４のいずれか一に記載の容器。
【請求項２６】  前記捕捉面が前記表示部材の突出部上に形成されている、請求項２５に記載の容器。
【請求項２７】  前記突出部が、前記容器が搭載される際に前記キャッチと突出部とを相対的にそらせる傾斜面を有している、請求項２６に記載の容器。
【請求項２８】  前記表示部材が前記取付部にスライド式に搭載されている、請求項２２から請求項２７のいずれか一に記載の容器。
【請求項２９】  前記表示部材が、第１の状態にある前記容器が前記薬剤吸引器に保持されたときにのみ前記検出手段と係合する形状に形成されている、請求項２２から請求項２８のいずれか一に記載の容器。
【請求項３０】  前記表示部材が、第２の状態にある前記容器が前記薬剤吸引器に保持されたときに前記検出手段との係合を回避するため、前記検出手段に隣接する位置に凹み部を有する、請求項２９に記載の容器。
【請求項３１】  薬剤の容器を取替え可能に保持し、容器が保持されているか否かを検出する検出手段を有する薬剤吸引器。
【請求項３２】  前記検出手段が電気スイッチ接点から構成される、請求項３１に記載の薬剤吸引器。
【請求項３３】  前記薬剤吸引器が更に、前記検出手段に応答して容器が薬剤吸引器によって保持されているか否かを表示するディスプレイ手段を備えている、請求項３１又は請求項３２に記載の薬剤吸引器。
【請求項３４】  前記検出手段が、前記容器に固定された取付部に設けられた表示手段を検出するよう構成されている、請求項３１から請求項３３のいずれか一に記載の薬剤吸引器。
【請求項３５】  前記表示手段が前記取付部から突出している、請求項３４に記載の薬剤吸引器。
【請求項３６】  前記表示手段が前記取付部に対して移動可能である、請求項３４又は請求項３５に記載の薬剤吸引器。
【請求項３７】  取付部を固定する容器であって、当該容器が薬剤吸引器に取り付けられたことを表示するため、前記取付部が薬剤吸引器による検出のための表示手段を有している容器。
【請求項３８】  前記表示手段が前記取付部から突出している、請求項３７に記載の容器。
【請求項３９】  前記表示手段が前記取付部に対して移動可能である、請求項３７又は請求項３８に記載の容器。
【手続補正書】
【提出日】平成15年3月3日(2003.3.3)
【手続補正１】
【補正対象書類名】明細書
【補正対象項目名】特許請求の範囲
【補正方法】変更
【補正の内容】
【特許請求の範囲】
【請求項１】
風力装置のための低速回転同期発電機（特にリング発電機）であって、
ロータと、
該ロータの周囲を取り囲み、少なくとも１つの三相電流巻線を有するステ−タと、
補償ユニットとを備え、
該補償ユニットはコンデンサ、インダクタ及びダンピング抵抗を含み、前記コンデンサ、インダクタ及びダンピング抵抗はステ−タに接続され、少なくとも、容量性電流のステ−タへの印加、又は容量性電流による発電機の励磁電力の一部分の生成のいずれかを行ない、
前記補償ユニットは発電機の後段に接続する整流器に高調波電力を供給する
ことを特徴とする同期発電機。
【請求項２】
前記同期発電機は多相発電機であり、励磁電流の低減手段がステ−タ巻線の個々の相の導体間に設けられたことを特徴とする請求項１記載の同期発電機。
【請求項３】
前記励磁電流の低減手段が、コンデンサ又はステ−タ電流を供給するフィルタ回路のうちの少なくともいずれかにより実現されることを特徴とする請求項２記載の同期発電機。
【請求項４】
ステ−タ内に誘導される電圧は、電圧―時間関係図において、実質的に台形波形を有することを特徴とする請求項１ないし３のいずれか一に記載の同期発電機。
【請求項５】
ステ−タ巻線は、互いに３０°だけずれた少なくとも２つの三相電流システム（三相巻線）を含むことを特徴とする請求項１ないし４のいずれか一に記載の同期発電機。
【請求項６】
前記補償ユニットは、ステ−タに対して６次の電流高調波を供給することを特徴とする請求項１記載の補償ユニット。
【請求項７】
発電機は恒久的に励磁された発電機であることを特徴とする請求項１ないし６のいずれか一に記載の同期発電機。
【請求項８】
請求項１ないし７のいずれか一に記載の同期発電機を含む風力装置。
【手続補正書】
【提出日】平成15年5月22日(2003.5.22)
【手続補正１】
【補正対象書類名】明細書
【補正対象項目名】請求項１
【補正方法】変更
【補正の内容】
【請求項１】
第１ネットワークにおいてコンテクストをアクチベートしてその第１ネットワーク及び第２ネットワーク(6)を経てコール及び／又はトランザクションを転送するための方法であって、
ａ）上記第１ネットワーク内でシグナリング又はデフォールトコンテクストを使用してアプリケーションプロトコルに基づき設定メッセージを送信し、
ｂ）上記第２ネットワーク(6)から上記第１ネットワークへ送信された上記アプリケーションプロトコルのメッセージに基づいて能力情報を決定し、そして
ｃ）上記決定された能力情報に基づいて上記コンテクストをアクチベートするという段階を備えた方法。
【手続補正２】
【補正対象書類名】明細書
【補正対象項目名】請求項１２
【補正方法】変更
【補正の内容】
【請求項１２】
第１ネットワークにおいてコンテクストをアクチベートして、その第１ネットワーク及び第２ネットワーク(6)を経てコール及び／又はトランザクションを転送するためのシステムであって、
ａ）上記第１ネットワーク内でシグナリング又はデフォールトコンテクストを使用してアプリケーションプロトコルに基づき設定メッセージを送信するための設定手段(1,7)と、
ｂ）上記第２ネットワーク(6)から上記第１ネットワークへ送信された上記アプリケーションプロトコルのメッセージに基づいて能力情報を決定するための決定手段(12)と、
ｃ）上記決定された能力情報に基づいて上記コンテクストをアクチベートするためのアクチベーション手段(13)と、
を備えたシステム。
【手続補正３】
【補正対象書類名】明細書
【補正対象項目名】請求項２０
【補正方法】変更
【補正の内容】
【請求項２０】
第１ネットワークにおいてコンテクストをアクチベートして、その第１ネットワーク及び第２ネットワーク(6)を経てコール及び／又はトランザクションを転送するためのターミナル装置(1)であって、
ａ）上記第２ネットワーク(6)から上記第１ネットワークを経て上記ターミナル装置(1)へ送信されたアプリケーションプロトコルのメッセージに基づき能力情報を決定するための決定手段(12)を備え、上記第１ネットワーク内にはシグナリング又はデフォールトコンテクストが使用され、そして
ｂ）上記決定された能力情報を使用して上記コンテクストをアクチベートするためのアクチベーション手段(13)を備えたターミナル装置。